【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
赤色、緑色、青色の各色の光をそれぞれ画像変調して反射する第１乃至第３の反射型液晶表示素子と、前記赤色、緑色、青色の各色の光路にそれぞれ設けられた第１乃至第３の１／４波長板とを有し、前記第１乃至３の反射型液晶表示素子からの光を投射する投射型画像表示装置であって、
前記青色の光用の前記第３の１／４波長板は、前記青色の漏れ光が最小となる位置から青色の漏れ光が大きくなる方向にずれていることを特徴とする投射型画像表示装置。
【請求項２】
前記第３の１／４波長板の進相軸の方向は、前記青色の漏れ光が最小となる進相軸の方向に対して、１度以上ずれていることを特徴とする請求項１記載の投射型画像表示装置。
【請求項３】
前記第３の１／４波長板の進相軸の方向は、前記青色の漏れ光が最小となる進相軸の方向に対して、２．５度以上ずれていることを特徴とする請求項１又は２に記載の投射型画像表示装置。
【請求項４】
前記第３の１／４波長板の進相軸の方向の、前記青色の漏れ光が最小となる進相軸の方向に対する角度が、５度以下であることを特徴とする請求項１乃至３いずれかに記載の投射型画像表示装置。
【請求項５】
前記青色の光用の前記第３の１／４波長板の進相軸は、前記赤色の光用の前記第１の１／４波長板の回転角とは異なる回転角を有することを特徴とする請求項１乃至４いずれかに記載の投射型画像表示装置。
【請求項６】
前記青色の光用の前記第３の１／４波長板の遅相軸は、前記赤色の光用の前記第１の１／４波長板の回転角とは異なる回転角を有することを特徴とする請求項１乃至５いずれかに記載の投射型画像表示装置。
【請求項７】
前記第１、２の１／４波長板の進相軸の方向と、赤色、緑色の漏れ光が最小となる進相軸の方向とがなす角度は、１度以内であることを特徴とする請求項１乃至６いずれかに記載の投射型画像表示装置。
【請求項８】
前記第１、２、３の１／４波長板の進相軸の方向と、赤色、緑色、青色の漏れ光が最小となる進相軸の方向とがなす角度を各々第１、２、３進相軸角度とするとき、
前記第３進相軸角度は、前記第１、２進相軸角度よりも大きいことを特徴とする請求項１乃至７いずれかに記載の投射型画像表示装置。
【請求項９】
有効領域内の画素に入射する光に対して入力された画像信号に基づいて選択的に位相差を与え、前記有効領域外の領域に入射する光に対して前記画像信号に無関係に所定の位相差を与える、赤、緑、青用の第１乃至第３の反射型液晶表示素子と、
光源からの光を赤色光、緑色光、青色光とに色分離し、前記赤、緑、青用の反射型液晶表示素子を照明する照明光学系と、
前記赤、緑、青用の反射型液晶表示素子からの光の光路を合成して投射する投射光学系とを有する投射型画像表示装置であって、
前記第１乃至３反射型液晶表示素子の前記有効領域外の領域に入射する光に対する、前記第１乃至３反射型液晶表示素子の前記有効領域外の領域で反射され前記投射光学系により投射される光の割合を第１乃至３漏れ光率とするとき、前記第３漏れ光率が、前記第１、２漏れ光率よりも高いことを特徴とする投射型画像表示装置。
【請求項１０】
有効領域内の画素に入射する光に対して入力された画像信号に基づいて選択的に位相差を与え、前記有効領域外の領域に入射する光に対して前記画像信号に無関係に所定の位相差を与える、赤、緑、青用の第１乃至第３の反射型液晶表示素子と、
光源からの光を赤色光、緑色光、青色光とに色分離し、前記赤、緑、青用の反射型液晶表示素子を照明する照明光学系と、
前記赤、緑、青用の反射型液晶表示素子からの光の光路を合成して投射する投射光学系とを有する投射型画像表示装置であって、
前記投射光学系により画像が投射される面において、前記有効領域外の領域に対応する領域の色度が色度ｘｙ座標系上において、ｘ方向が０．３以下であることを特徴とする投射型画像表示装置。
【請求項１１】
前記投射光学系により画像が投射される面において、前記有効領域外の領域に対応する領域の色度が色度ｘｙ座標系上において、ｘ方向が０．２５以下であることを特徴とする請求項１０記載の投射型画像表示装置。
【請求項１２】
前記赤色の光を含む光路に配置され、可視光の波長領域において所定の波長領域の光の偏光方向を９０度変換すると共にその他の波長の光の偏光方向は変換しない、少なくとも一の色選択性位相差板を更に有することを特徴とする請求項１記載の投射型画像表示装置。
【請求項１３】
光源と前記第１乃至第３の反射型液晶表示素子との間に、前記緑色の光用の第１の光路と、前記赤色及び青色の光用の第２の光路に分離する色分解系を更に有することを特徴とする請求項１記載の投射型画像表示装置。
【請求項１４】
赤色、緑色、青色の各色の光をそれぞれ画像変調して反射する第１乃至第３の反射型液晶表示素子と、前記赤色、緑色、青色の各色の光路にそれぞれ設けられ、第１乃至第３の１／４波長板とを有し、カラー画像を形成する投射型画像表示装置における前記第１乃至第３の１／４波長板の調整方法であって、
前記第１乃至第３の１／４波長板を、それぞれ、前記赤色、緑色及び青色の漏れ光が最小になるように調整するステップと、
前記青色の光用の前記第３の１／４波長板を、前記青色の漏れ光が最小となる位置から漏れ光が多くなる方向に調整するステップとを有することを特徴とする調整方法。
【請求項１５】
前記青色の漏れ光が大きくなる方向に調整するステップは、
前記投射型画像表示装置の光学系によって決定される、前記赤色による漏れ光量を検出するステップと、
前記検出ステップによる検出結果によって前記青色の漏れ光を決定するステップとを有することを特徴とする請求項１４記載の調整方法。
【請求項１６】
前記青色は光量が最小のときの色度に対して色度ｘｙ座標系上で少なくとも１／１００以上−ｘ軸方向にずれるように光を漏らすことを特徴とする請求項１４記載の調整方法。
【手続補正２】
【補正対象書類名】明細書
【補正対象項目名】００１３
【補正方法】変更
【補正の内容】
【００１３】
本発明の更に別の側面としての調整方法は、赤色、緑色、青色の各色の光をそれぞれ画像変調して反射する第１乃至第３の反射型液晶表示素子と、前記赤色、緑色、青色の各色の光路にそれぞれ設けられ、第１乃至第３の１／４波長板とを有し、カラー画像を形成する投射型画像表示装置における前記第１乃至第３の１／４波長板の調整方法であって、前記第１乃至第３の１／４波長板を、それぞれ、前記赤色、緑色及び青色の漏れ光が最小になるように調整するステップと、前記青色の光用の前記第３の１／４波長板を、前記青色の漏れ光が最小となる位置から漏れ光が多くなる方向に調整するステップとを有することを特徴とする。
【手続補正３】
【補正対象書類名】明細書
【補正対象項目名】００３３
【補正方法】変更
【補正の内容】
【００３３】
最後に、反射型液晶表示素子１１４ａ及び１１４ｂ及び１３２の黒レベルを電気的に調整する（ステップ６）。黒色調整（ステップ６）後の有効部１２と周辺部１４の青色の漏れ光の様子を図６に示す。ここで、横軸は１／４位相板の回転角度であり、縦軸は漏れ光率を示す。同図に示すように、周辺部１４は有効部１２よりも青が強くなる。言い換えると、本実施例においては、周辺部に対応する領域（スクリーン等の画像が投射される面上において）における青色波長領域の光の漏れ光量が、有効部に対応する領域における青色波長領域の光の漏れ光量よりも多くなるように、青色波長領域の光用の反射型液晶表示素子と偏光ビームスプリッタ−との間に配置された１／４波長板の進相軸（遅相軸）の向きを調整するようにした。さらに言い換えると、黒表示時の赤色光の漏れ光率（赤色液晶表示素子に入射した入射光の光量のうち、投射される光の光量の割合）や、黒表示時の緑色光の漏れ光率よりも、黒表示時の青色光の漏れ光率の方が高い。
【手続補正４】
【補正対象書類名】明細書
【補正対象項目名】００３７
【補正方法】変更
【補正の内容】
【００３７】
ＰＢＳ１４０は、Ｐ偏光を透過し、Ｓ偏光を反射する。ＰＢＳ１４０は、Ｇの照明光が透過する端面１４１、反射型液晶表示素子１３２に対してＧ光が透過する端面１４２、Ｇの投射光が透過する端面１４３を有する。各端面（光通過面）１４１乃至１４３には、Ｇの色（波長領域）に極小値がある分光反射特性を有する反射防止膜１４５が形成されている。
【手続補正５】
【補正対象書類名】明細書
【補正対象項目名】００３９
【補正方法】変更
【補正の内容】
【００３９】
色合成プリズム（光合成プリズム）１５０は、２つ色光を一つの光路に合成するＰＢＳである。色合成プリズム１５０のＲＢの光の入射面には反射防止膜１２５が形成され、色合成プリズム１５０のＧ光の入射面には反射防止膜１２５が形成されている。光源部１０２から投射光学系１６０に至る光束は反射型液晶表示素子１１４ａ、１１４ｂ及び１３２において一番細くなるので、反射型液晶表示素子の近傍に配置したＰＢＳ１２０、１４０を色合成プリズム１５０よりも小さく構成している。